(57)【要約】【課題】磁気センサーを用いて可動部の位置を検出する携帯端末装置において、磁気センサーの近傍に配置された金属部材に残留磁力が生じて磁気センサーが誤検出してしまうことを防止する。【解決手段】この携帯端末装置は、第１筐体と、第１筐体に設けられる磁石と、第１筐体に対して開閉可能に連結される第２筐体（２０Ａ）と、第２筐体の内部に固定される金属部材（２３）と、前記磁石と前記金属部材との間に配置されて磁石の近接を検出する磁気センサー（２２ａ）と、軟磁性体からなり金属部材と磁気センサーとの間に設けられるシールド部材（２４）と、を具備する構成を採る。【選択図】図２
2014007570.tif 000002
【特許請求の範囲】
【請求項１】
第１筐体と、
前記第１筐体に設けられる磁石と、
前記第１筐体に対して開閉可能に連結される第２筐体と、
前記第２筐体の内部に配置される金属部材と、
前記磁石と前記金属部材の間に配置されて前記磁石の近接を検出する磁気センサーと、
前記金属部材より透磁率の高い軟磁性体からなり前記金属部材と前記磁気センサーとの間に設けられるシールド部材と、
を具備する携帯端末装置。
【請求項２】
前記金属部材は、部品を保持するまたは前記第２筐体の枠組みとなるシャーシであり、ステンレスから構成される、
請求項１記載の携帯端末装置。
【請求項３】
前記第２筐体は、四方を囲う側壁部と底部とが一体的に成型され、前記底部に対向する側が開口された筐体本体を有し、
前記金属部材は、前記筐体本体の開口に沿って広がる形状のシャーシである、
請求項１記載の携帯端末装置。
【請求項４】
前記磁気センサーは、基板を介して前記金属部材の一方に配置されている、
請求項１記載の携帯端末装置。
【請求項５】
前記シールド部材は、シート状であり前記金属部材に接着されている、
請求項１記載の携帯端末装置。
【請求項６】
前記シールド部材は、前記磁気センサーに対向する面が前記磁気センサーを包含する大きさに形成されている、
請求項１記載の携帯端末装置。
【請求項７】
前記第１筐体の片側に設けられるとともに背面側に板金部材が配置される第１表示部と、
前記第２筐体の片側に設けられるとともに背面側に板状の前記金属部材が配置される第２表示部と、
を具備し、
前記第１筐体および前記第２筐体とは、前記第１表示部および前記第２表示部が並んだ状態から前記第１表示部および前記第２表示部の背面同士が対向する状態へ、ヒンジを介して回転可能に連結され、
前記磁石は、前記板金部材より前記第１表示部の反対側に配置され、
前記磁気センサーおよび前記シールド部材は、前記金属部材より前記第２表示部の反対側に配置されている、
請求項１記載の携帯端末装置。
【請求項８】
前記第１筐体および前記第２筐体には、
前記ヒンジに近い側に第１組目の前記磁石および前記磁気センサーがそれぞれ設けられ、
前記ヒンジから遠い側に第２組目の前記磁石および前記磁気センサーがそれぞれ設けられている、
請求項７記載の携帯端末装置。
【発明の詳細な説明】
【技術分野】
【０００１】
本発明は、磁気センサーを有する携帯端末装置に関する。
【背景技術】
【０００２】
以前より、例えば折畳み式の携帯端末装置において、磁気センサーを用いて２つの筐体の開閉状態を検出することが一般に行われている。
【０００３】
また、磁気センサーを用いて可動部の位置を検出する携帯機器において、以前より、磁気に関わる様々な提案がなされている。
【０００４】
例えば、特許文献１には、磁石の周囲に磁気シールドを設けることで、磁気を不要な箇所に漏洩させないようにした携帯端末装置が開示されている。また、特許文献２には、可動部の位置検出に使用する磁石を、その磁力を利用して可動部に係止力を与える構成として流用した構成が開示されている。
【先行技術文献】
【特許文献】
【０００５】
【特許文献１】特許第４７５７６４７号公報
【特許文献２】特開２００９−１９９３０１号公報
【発明の概要】
【発明が解決しようとする課題】
【０００６】
携帯端末装置においては内蔵部品の保持または補強等の目的で金属製のシャーシが設けられることがある。例えば、バスタブ型の筐体を採用した場合には、補強用に金属製のシャーシの必要性が高くなる。また、バスタブ型の筐体ではなくとも、樹脂に金属製のシャーシ又は金属製板をインサート成型して筐体の補強および液晶の保持等を行う構造も多く採用されている。
【０００７】
金属製のシャーシは、一般に、磁化しないように、非磁性体ステンレスなどの金属が利用される。しかしながら、非磁性体ステンレスは、プレス加工、切削加工または溶接等により磁性が発生してしまう。
【０００８】
磁気センサーの近傍に磁性を持った金属部材が存在する場合、可動部に設けられた磁石が磁気センサーに近づいたときに、この磁石の磁界によって磁性を持った金属部材が着磁されて、残留磁力が生じてしまうことが考えられた。磁気センサーの近傍で金属部材に残留磁力が生じてしまうと、この金属部材からの磁界によって磁気センサーが誤検出してしまうという課題が生じる。
【０００９】
本発明の目的は、金属部材の近傍に配置された磁気センサーを用いて可動部の位置を検出する携帯端末装置において、金属部材の着磁に起因する磁気センサーの誤検出を防止することである。
【課題を解決するための手段】
【００１０】
本発明の一態様に係る携帯端末装置は、第１筐体と、前記第１筐体に設けられる磁石と、前記第１筐体に対して開閉可能に連結される第２筐体と、前記第２筐体の内部に固定される金属部材と、前記磁石と前記金属部材との間に配置されて前記磁石の近接を検出する磁気センサーと、前記金属部材より透磁率の高い軟磁性体からなり前記金属部材と前記磁気センサーとの間に設けられるシールド部材と、を具備する構成を採る。
【発明の効果】
【００１１】
本発明によれば、シールド部材により、磁性を持った金属部材の磁化を防止することができる。よって、金属部材の着磁に起因する磁気センサーの誤検出を防止できる。
【図面の簡単な説明】
【００１２】
【図１】本発明の実施の形態１の携帯端末装置を示す斜視図
【図２】実施の形態１の携帯端末装置における第２構成部を示す分解斜視図
【図３】実施の形態１の携帯端末装置における磁気センサー周辺を示す断面図
【図４】軟磁性体シートが無い場合における開閉検知動作を説明する概念図
【図５】軟磁性体シートが有る場合における開閉検知動作を説明する概念図
【図６】本発明の実施の形態２の携帯端末装置を示す断面図
【図７】実施の形態２の携帯端末装置におけるヒンジに近い側の磁気センサー周辺を示す断面図
【図８】実施の形態２の携帯端末装置におけるヒンジから遠い側の磁気センサー周辺を示す断面図
【発明を実施するための形態】
【００１３】
以下、本発明の各実施の形態について図面を参照して詳細に説明する。
【００１４】
（実施の形態１）
図１は、本発明の実施の形態１の携帯端末装置を示す斜視図である。
【００１５】
実施の形態１の携帯端末装置は、第１構成部１０と、第２構成部２０と、第１構成部１０と第２構成部２０とを開閉可能に連結するヒンジ３０等から構成される。
【００１６】
第１構成部１０は、第１筐体１０Ａ、表示部１１、磁石１２、板金部材１３（図３参照）、図示しない音出力用のレシーバ等を備えている。
【００１７】
第１筐体１０Ａの内部には板金部材１３が固定され、この板金部材１３に沿って表示部１１が固定されている。
【００１８】
磁石１２は、例えば永久磁石であり、板金部材１３の背面側（表示部１１の逆側）に配置されている。
【００１９】
図２は、携帯端末装置の第２構成部を示す分解斜視図、図３は、磁気センサーの周辺を示す第１および第２構成部の断面図である。
【００２０】
第２構成部２０は、図２にも示すように、第２筐体２０Ａと、キーシート２１と、スイッチシート２２と、シャーシ２３と、シールド部材としての軟磁性体シート２４と、内蔵部品２５（図３参照）等を備えている。
【００２１】
第２筐体２０Ａは、いわゆるバスタブ型の筐体であり、上方が開口され、四方を囲う側壁部と、底側を一部の範囲を除いて覆う底壁部とが、樹脂により一体的に成型されて構成される。なお、筐体の構造は特にバスタブ型に制限されるものではない。
【００２２】
シャーシ２３は、第２筐体２０Ａの上面開口に沿って広がるように固定され、第２筐体２０Ａの剛性を高めるとともに、スイッチシート２２等の部品の保持を行う。シャーシ２３は、非磁性体のステンレス板金を切断加工および曲げ加工してなり、加工時に磁性を帯びることがある。
【００２３】
内蔵部品２５は、システム制御を行う制御回路および通信処理を行う信号処理回路が搭載された電子基板２５ａ（図３参照）、図示略のマイク、スピーカー、アンテナ、および、電池パックなどを含む。内蔵部品２５は、第２筐体２０Ａにおけるシャーシ２３と底壁部との間の空間に収容される。
【００２４】
キーシート２１は、複数の操作キーが設けられたシートであり、第２筐体２０Ａの開口を覆うように固定されている。例えば、キーシート２１の周縁部が第２筐体２０Ａの開口枠部に接着される。
【００２５】
スイッチシート２２は、例えばＦＰＣ（Flexible printed circuits）からなるプリント基板２２ｂに、操作キーの押下を検出する複数のスイッチ２２ｃと、第１構成部１０と第２構成部２０との開閉検知を行う磁気センサー２２ａとが設けられて構成される。スイッチシート２２はシャーシ２３のキーシート２１側に固定される。
【００２６】
磁気センサー２２ａは、第１構成部１０と第２構成部２０とが閉じた状態で、磁石１２とシャーシ２３との間に配置されるように設けられている。
【００２７】
軟磁性体シート２４は、高い透磁率を有し、且つ、保磁力が小さいシート状の部品である。軟磁性体シート２４は、シャーシ２３と磁気センサー２２ａとの間に配置され、例えば、シャーシ２３に接着により固定されている。
【００２８】
軟磁性体シート２４は、シャーシ２３の板面に垂直な方向から見て、磁気センサー２２ａの周囲にはみだして磁気センサー２２ａを包含する大きさに形成されている。
【００２９】
［開閉検知動作］
次に、上記のように構成された携帯端末装置における第１構成部１０と第２構成部２０との開閉検知について説明する。
【００３０】
図４は、軟磁性体シートが無い場合における開閉検知動作を説明する概念図、図５は、軟磁性体シート２４が有る場合における開閉検知動作を説明する概念図である。図４（Ａ）と図５（Ａ）とは、第１構成部１０と第２構成部２０とが閉じて磁石１２が磁気センサー２２ａに近接したときを示している。図４（Ｂ）と図５（Ｂ）とは、第１構成部１０と第２構成部２０とが開いて磁石１２が磁気センサー２２ａから引き離されたときを示している。
【００３１】
図４（Ａ）に示すように、軟磁性体シート２４が無い場合には、磁石１２が近接した際に、磁石１２から出た磁束がシャーシ２３にも多く及ぼされる。ここで、シャーシ２３の一部が磁性を帯びていると、シャーシ２３が着磁して、シャーシ２３に残留磁化が生じてしまう。
【００３２】
この場合、図４（Ｂ）に示すように、磁石１２が離れても、シャーシ２３の残留磁化により、磁気センサー２２ａの周囲に磁気センサー２２ａの検出方向に向く磁界が生じてしまう。そのため、磁気センサー２２ａにおいて開閉検知の誤検出が生じてしまう。
【００３３】
一方、本実施の形態１では、図５（Ａ）に示すように、磁気センサー２２ａとシャーシ２３との間にシャーシ２３よりも透磁率の高い軟磁性体シート２４が設けられている。このため、磁石１２が近接した際、磁石１２から出た磁束は透磁率の高い方へひきつけられる性質があるため、軟磁性体シート２４に集められてシャーシ２３まで余り届かない。よって、シャーシ２３の一部が磁性を帯びていても、シャーシ２３に残留磁力が生じることがない。
【００３４】
したがって、図５（Ｂ）に示すように、磁石１２が離れた際には、軟磁性体シート２４には保持力が無いため、軟磁性体シート２４に残留磁力が生じない。よって、磁気センサー２２ａの周囲に磁気センサー２２ａの検出方向に向く磁界が生じることがなく、磁気センサー２２ａにおいて開閉検知の誤検出を防ぐことができる。
【００３５】
以上のように、実施の形態１の携帯端末装置によれば、シャーシ２３の近傍に磁気センサー２２ａを配置して開閉検知を行う構成であっても、磁気センサー２２ａの近傍のシャーシ２３が磁化してしまうことを防止できる。よって、開閉検知の誤検出を防ぐことができる。
【００３６】
（実施の形態２）
図６は、本発明の実施の形態２の携帯端末装置を示す。図６（Ａ）は携帯端末装置を開いた状態を示す縦断面図、図６（Ｂ）は携帯端末装置を閉じた状態を示す縦断面図である。図７は、実施の形態２の携帯端末装置におけるヒンジに近い側の磁気センサー周辺を示す断面図、図８は、実施の形態２の携帯端末装置におけるヒンジから遠い側の磁気センサー周辺を示す断面図である。
【００３７】
実施の形態２の携帯端末装置は、図６（Ａ）、（Ｂ）に示すように、第１構成部６０と、第２構成部７０と、第１構成部６０を回動可能に第２構成部７０に連結するヒンジ８０とを備えている。
【００３８】
第１構成部６０は、第１筐体６１、シャーシ６２、表示部６３、開閉検知用の磁石６４ａ、６４ｂ等を備えている。
【００３９】
第２構成部７０は、第２筐体７１、シャーシ７２ａ、７２ｂ、表示部７３、開閉検知用の磁気センサー７４ａ、７４ｂ、軟磁性体シート７６ａ、７６ｂ（図７、図８）等を備えている。また、第２構成部７０には、システム制御を行う制御回路および通信処理を行う信号処理回路が搭載された電子基板７５ａと、図示しないアンテナ、マイク、レシーバおよびスピーカー等が設けられている。
【００４０】
第１筐体６１は、前面（図６（Ａ）の左側の面）が開口され、上下左右の四方と背面とが覆われて構成される。第１筐体６１は、樹脂からなり、枠組みとなるシャーシ６２とともにインサート成型されて剛性が高められている。
【００４１】
シャーシ６２は、非磁性体のステンレスからなる板状の部材で、第１筐体６１の内側で前面開口に沿って広がるように設けられている。
【００４２】
第２筐体７１は、前面（図６（Ａ）の左側の面）が開口され、上下左右の四方と背面とが覆われて構成される。第２筐体７１は、樹脂からなり、枠組みとなるシャーシ７２ａとともにインサート成型されて剛性が高められている。
【００４３】
シャーシ７２ａ、７２ｂは、非磁性体のステンレスからなる板状の部材で、第２筐体７１の内側で前面開口に沿って広がるように設けられている。一方のシャーシ７２ｂは、表示部７３の背面を支持して第２筐体７１の剛性を高める役割を担い、他方のシャーシ７２ａは内蔵部品を保持する役割を担う。
【００４４】
第１筐体６１と第２筐体７１とは、前面の形状が略矩形であり、互いに前面が略同じ形状および大きさに形成されている。
【００４５】
ヒンジ８０は、第１筐体６１および第２筐体７１の長辺側に設けられている。ヒンジ８０を中心に第１筐体６１が第２筐体７１に対して回動することで、図６（Ｂ）に示すように、表示部６３、７３が外側を向いた状態で第１構成部６０と第２構成部７０とが重なり合うように閉じられる。
【００４６】
第１構成部６０において磁石６４ａ、６４ｂは、一方がヒンジ８０から遠い側でシャーシ６２の背面側に固定され、他方がヒンジ８０に近い側でシャーシ６２の背面側に固定されている。磁石６４ａ、６４ｂは、例えば永久磁石である。
【００４７】
第２構成部７０において磁気センサー７４ａ、７４ｂは、電子基板７５ａ、７５ｂを介してシャーシ７２ａの背面側に固定されている。２つの磁気センサー７４ａ、７４ｂは、一方がヒンジ８０から遠い側に固定され、他方がヒンジ８０に近い側に固定されている。２つの磁気センサー７４ａ、７４ｂは、第１構成部６０と第２構成部７０とが閉じたときに、２つの磁石６４ａ、６４ｂにそれぞれ対向する位置に固定されている。
【００４８】
軟磁性体シート７６ａ、７６ｂは、高い透磁率を有し、且つ、保磁力が小さい材料からなるシートである。
【００４９】
一方の軟磁性体シート７６ａは、シャーシ７２ａと電子基板７５ａとの間に配置され、例えば、シャーシ７２ａに接着により固定されている。軟磁性体シート７６ａは、シャーシ７２ａの板面に垂直な方向から見て、磁気センサー７４ａの周囲にはみだして磁気センサー７４ａを包含する大きさに形成されている。
【００５０】
他方の軟磁性体シート７６ｂは、シャーシ７２ｂと電子基板７５ｂとの間に配置され、例えば、シャーシ７２ｂに接着により固定されている。軟磁性体シート７６ｂは、シャーシ７２ｂの板面に垂直な方向から見て、磁気センサー７４ｂの周囲にはみだして磁気センサー７４ｂを包含する大きさに形成されている。
【００５１】
以上のように、実施の形態２の携帯端末装置によれば、第１構成部６０と第２構成部７０とが開閉したときに、磁石６４ａ、６４ｂが磁気センサー７４ａ、７４ｂに近接または引き離される。よって、磁気センサー７４ａ、７４ｂの出力に基づき第１構成部６０と第２構成部７０との開閉状態を検出することができる。
【００５２】
さらに、実施の形態２の携帯端末装置によれば、シャーシ７２ａ、７２ｂと磁気センサー７４ａ、７４ｂとの間に軟磁性体シート７６ａ、７６ｂがそれぞれ設けられている。よって、磁石６４ａ、６４ｂが磁気センサー７４ａ、７４ｂに近接したときに、磁石６４ａ、６４ｂの磁界によって、シャーシ７２ａ、７２ｂが磁化することを防止できる。したがって、磁気センサー７４ａ、７４ｂの近傍のシャーシ７２ａ、７２ｂに残留磁力が生じて開閉検知の誤検出が生じることを防止できる。
【００５３】
さらに、実施の形態２の携帯端末装置によれば、ヒンジ８０の近い側と遠い側との２箇所に磁気センサー７４ａ、７４ｂおよび磁石６４ａ、６４ｂをそれぞれ設けている。よって、これら２箇所の検出に基づいて、第１構成部６０と第２構成部７０との開閉状態を、例えば、全開、全閉、その中間など３段階以上の開閉状態として検出することができる。
【００５４】
さらに、実施の形態２の携帯端末装置によれば、第１構成部６０と第２構成部７０とは２つの表示部６３、７３が外側を向くように閉じられる構成が採用されている。逆に、表示部６３、７３が内側を向くように閉じられる構成では、次に示すように、開閉検知用の磁気センサーの配置が困難となる。
【００５５】
すなわち、表示部７３はシャーシ７２ｂによって背面側が支持される。よって、シャーシ７２ｂと表示部７３との間に磁気センサーの配置スペースを確保することは難しい。また、磁気センサーをシャーシ７２ｂの背面側に配置すると、表示部７３側から第１構成部６０が近づいた場合に、第１構成部６０の磁石と磁気センサーとの間にシャーシ７２ｂが配置されることになる。この構成では、磁石の磁界が磁気センサーまで届き難く、また、シャーシ７２ｂを磁化させてしまい好ましくない。従って、表示部７３が第２筐体７１の前面のほぼ全域に広がるように設けられている場合には、表示部７３を避けた僅かな範囲にしか磁気センサーの配置スペースを確保できない。
【００５６】
しかしながら、実施の形態２の携帯端末装置では、表示部６３、７３が外側を向くように閉じられる構成が採用されているので、磁気センサー７４ａ、７４ｂの配置自由度が増して、磁気センサー７４ａ、７４ｂを開閉検知のために適切な配置とすることができる。
【００５７】
以上、本発明の各実施の形態について説明した。
【００５８】
なお、上記実施の形態では、磁気センサーの近傍に配置される金属部材として板状のシャーシを採用した構成を例にとって説明したが、シャーシに限られず、着磁して残留磁力が生じかねない様々な金属部品を適用することができる。また、シールド部材として軟磁性体をシート状にした構成を例にとって説明したが、シールド部材はシート状でなく厚みを有するブロック状であっても良い。
【００５９】
また、上記実施の形態では、ヒンジを介して可動部が回転する構成を例にとって説明したが、第１筐体と第２筐体とがスライド移動して開閉する構成に対しても本発明を同様に適用することができる。その他、実施の形態で具体的に示した細部構造は発明の趣旨を逸脱しないで変更可能である。
【産業上の利用可能性】
【００６０】
本発明は、可動部を有する携帯端末装置に適用できる。
【符号の説明】
【００６１】
１０Ａ、６１  第１筐体
１２、６４ａ、６４ｂ  磁石
２０Ａ、７１  第２筐体
２２ａ、７４ａ、７４ｂ  磁気センサー
２２ｂ  プリント基板
２３、６２、７２ａ、７２ｂ  シャーシ
２４、７６ａ、７６ｂ  軟磁性体シート
６３、７３  表示部
７５ａ、７５ｂ  電子基板
【図１】
2014007570.tif 000003
【図２】
2014007570.tif 000004
【図３】
2014007570.tif 000005
【図４】
2014007570.tif 000006
【図５】
2014007570.tif 000007
【図６】
2014007570.tif 000008
【図７】
2014007570.tif 000009
【図８】
2014007570.tif 000010